【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
複数の旅行情報コンテンツからなる旅行パンフレットを出力する情報処理装置と通信する中央情報処理装置において、
旅行情報コンテンツを指定する指定条件が入力されたとき、前記入力された指定条件に対応する第１の旅行情報コンテンツ及び前記入力された指定条件に対応しない第２の旅行情報コンテンツを検索する検索手段を備えることを特徴とする中央情報処理装置。
【請求項２】
複数の旅行情報コンテンツからなる旅行パンフレットを出力する情報処理装置と通信する中央情報処理装置が前記情報処理装置に情報を出力する情報出力方法であって、
旅行情報コンテンツを指定する指定条件が入力されたとき、前記入力された指定条件に対応する第１の旅行情報コンテンツ及び前記入力された指定条件に対応しない第２の旅行情報コンテンツを検索する検索ステップを有することを特徴とする情報出力方法。
【請求項３】
前記第２の旅行情報コンテンツは約款であることを特徴とする請求項２記載の情報出力方法。
【請求項４】
前記第２の旅行情報コンテンツは前記第１の旅行情報コンテンツに関連付けられた旅行情報コンテンツを含むことを特徴とする請求項２又は３記載の情報出力方法。
【請求項５】
前記中央情報処理装置に前記指定条件に応じた検索に用いられる属性が付加された前記旅行情報コンテンツを登録する登録ステップを有することを特徴とする請求項２乃至４のいずれか１項に記載の情報出力方法。
【請求項６】
前記旅行情報コンテンツは複数の頁を有するカタログの各前記頁に対応し、前記属性を前記頁毎又は１以上の前記頁からなる商品毎に付加する付加ステップを有することを特徴とする請求項２乃至５のいずれか１項に記載の情報出力方法。
【請求項７】
前記属性には、前記商品又は前記カタログ毎の画像属性を含むことを特徴とする請求項６記載の情報出力方法。
【請求項８】
前記属性には前記旅行情報コンテンツの出力を制御する出力属性を含むことを特徴とする請求項２乃至７のいずれか１項に記載の情報出力方法。
【請求項９】
前記出力属性には、前記商品毎の個別出力属性及び複数の前記商品に共通する共通出力属性を含むことを特徴とする請求項８記載の情報出力方法。
【請求項１０】
前記属性には、前記商品毎の個別属性及び複数の前記商品に共通する共通属性を含むことを特徴とする請求項６乃至９のいずれか１項に記載の情報出力方法。
【請求項１１】
前記商品毎の個別の属性は旅行コース情報であり、複数の商品に共通する共通属性はツアーオプション情報であることを特徴とする請求項１０記載の情報出力方法。
【請求項１２】
前記画像情報が複数の前記頁からなり、前記画像情報は１頁に収まるように縮小される縮小ステップを有することを特徴とする請求項７記載の情報出力方法。
【請求項１３】
複数の前記頁をグループ化するグループステップを有することを特徴とする請求項６乃至１２のいずれか１項に記載の情報出力方法。
【請求項１４】
前記カタログの公開／非公開を設定する公開設定ステップを有することを特徴とする請求項６乃至１３のいずれか１項に記載情報出力方法。
【請求項１５】
前記カタログを登録する際に前記カタログに施されるカタログ処理の方法を設定する処理方法設定ステップを有することを特徴とする請求項６乃至１４のいずれか１項に記載の情報出力方法。
【請求項１６】
複数の前記カタログを一括に登録する一括登録ステップを有することを特徴とする請求項６乃至１５のいずれか１項に記載の情報出力方法。
【請求項１７】
請求項２乃至１６のいずれか１項に記載の情報出力方法をコンピュータに実行させることを特徴とするプログラム。
【請求項１８】
請求項１７に記載のプログラムをコンピュータ可読の形態で記憶したことを特徴とする記憶媒体。
【手続補正２】
【補正対象書類名】明細書
【補正対象項目名】発明の名称
【補正方法】変更
【補正の内容】
【発明の名称】情報出力方法、中央情報処理装置、並びにプログラム及び記憶媒体
【手続補正３】
【補正対象書類名】明細書
【補正対象項目名】０００１
【補正方法】変更
【補正の内容】
【０００１】
本発明は、情報出力方法、中央情報処理装置、並びにプログラム及び記憶媒体に関する。
【手続補正４】
【補正対象書類名】明細書
【補正対象項目名】０００７
【補正方法】変更
【補正の内容】
【０００７】
本発明の目的は、ユーザの使い勝手を悪くすることなく、ユーザが所望の情報を入手することができる情報出力方法、中央情報処理装置、並びにプログラム及び記憶媒体を提供することにある。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】変更
【補正の内容】
【００３９】
上記目的を達成するために、請求項１記載の中央情報処理装置は、複数の旅行情報コンテンツからなる旅行パンフレットを出力する情報処理装置と通信する中央情報処理装置において、旅行情報コンテンツを指定する指定条件が入力されたとき、前記入力された指定条件に対応する第１の旅行情報コンテンツ及び前記入力された指定条件に対応しない第２の旅行情報コンテンツを検索する検索手段を備えることを特徴とする。
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】変更
【補正の内容】
【００５５】
上記目的を達成するために、請求項２記載の情報出力方法は、複数の旅行情報コンテンツからなる旅行パンフレットを出力する情報処理装置と通信する中央情報処理装置が前記情報処理装置に情報を出力する情報出力方法であって、旅行情報コンテンツを指定する指定条件が入力されたとき、前記入力された指定条件に対応する第１の旅行情報コンテン
ツ及び前記入力された指定条件に対応しない第２の旅行情報コンテンツを検索する検索ステップを有することを特徴とする。
【手続補正５３】
【補正対象書類名】明細書
【補正対象項目名】００５６
【補正方法】変更
【補正の内容】
【００５６】
請求項３記載の情報出力方法は、請求項２記載の情報出力方法において、前記第２の旅行情報コンテンツは約款であることを特徴とする。
【手続補正５４】
【補正対象書類名】明細書
【補正対象項目名】００５７
【補正方法】変更
【補正の内容】
【００５７】
請求項４記載の情報出力方法は、請求項２又は３記載の情報出力方法において、前記第２の旅行情報コンテンツは前記第１の旅行情報コンテンツに関連付けられた旅行情報コンテンツを含むことを特徴とする。
【手続補正５５】
【補正対象書類名】明細書
【補正対象項目名】００５８
【補正方法】変更
【補正の内容】
【００５８】
請求項５記載の情報出力方法は、請求項２乃至４のいずれか１項に記載の情報出力方法において、前記中央情報処理装置に前記指定条件に応じた検索に用いられる属性が付加された前記旅行情報コンテンツを登録する登録ステップを有することを特徴とする。
【手続補正５６】
【補正対象書類名】明細書
【補正対象項目名】００５９
【補正方法】変更
【補正の内容】
【００５９】
請求項６記載の情報出力方法は、請求項２乃至５のいずれか１項に記載の情報出力方法において、前記旅行情報コンテンツは複数の頁を有するカタログの各前記頁に対応し、前記属性を前記頁毎又は１以上の前記頁からなる商品毎に付加する付加ステップを有することを特徴とする。
【手続補正５７】
【補正対象書類名】明細書
【補正対象項目名】００６０
【補正方法】変更
【補正の内容】
【００６０】
請求項７記載の情報出力方法は、請求項６記載の情報出力方法において、前記属性には、前記商品又は前記カタログ毎の画像属性を含むことを特徴とする。
【手続補正５８】
【補正対象書類名】明細書
【補正対象項目名】００６１
【補正方法】変更
【補正の内容】
【００６１】
請求項８記載の情報出力方法は、請求項２乃至７のいずれか１項に記載の情報出力方法において、前記属性には前記旅行情報コンテンツの出力を制御する出力属性を含むことを特徴とする。
【手続補正５９】
【補正対象書類名】明細書
【補正対象項目名】００６２
【補正方法】変更
【補正の内容】
【００６２】
請求項９記載の情報出力方法は、請求項８記載の情報出力方法において、前記出力属性には、前記商品毎の個別出力属性及び複数の前記商品に共通する共通出力属性を含むことを特徴とする。
【手続補正６０】
【補正対象書類名】明細書
【補正対象項目名】００６３
【補正方法】変更
【補正の内容】
【００６３】
請求項１０記載の情報出力方法は、請求項６乃至９のいずれか１項に記載の情報出力方法において、前記属性には、前記商品毎の個別属性及び複数の前記商品に共通する共通属性を含むことを特徴とする。
【手続補正６１】
【補正対象書類名】明細書
【補正対象項目名】００６４
【補正方法】変更
【補正の内容】
【００６４】
請求項１１記載の情報出力方法は、請求項１０記載の情報出力方法において、前記商品毎の個別の属性は旅行コース情報であり、複数の商品に共通する共通属性はツアーオプション情報であることを特徴とする。
【手続補正６２】
【補正対象書類名】明細書
【補正対象項目名】００６５
【補正方法】変更
【補正の内容】
【００６５】
請求項１２記載の情報出力方法は、請求項７記載の情報出力方法において、前記画像情報が複数の前記頁からなり、前記画像情報は１頁に収まるように縮小される縮小ステップを有することを特徴とする。
【手続補正６３】
【補正対象書類名】明細書
【補正対象項目名】００６６
【補正方法】変更
【補正の内容】
【００６６】
請求項１３記載の情報出力方法は、請求項６乃至１２のいずれか１項に記載の情報出力方法において、複数の前記頁をグループ化するグループステップを有することを特徴とする。
【手続補正６４】
【補正対象書類名】明細書
【補正対象項目名】００６７
【補正方法】変更
【補正の内容】
【００６７】
請求項１４記載の情報出力方法は、請求項６乃至１３のいずれか１項に記載情報出力方法において、前記カタログの公開／非公開を設定する公開設定ステップを有することを特徴とする。
【手続補正６５】
【補正対象書類名】明細書
【補正対象項目名】００６８
【補正方法】変更
【補正の内容】
【００６８】
請求項１５記載の情報出力方法は、請求項６乃至１４のいずれか１項に記載の情報出力方法において、前記カタログを登録する際に前記カタログに施されるカタログ処理の方法を設定する処理方法設定ステップを有することを特徴とする。
【手続補正６６】
【補正対象書類名】明細書
【補正対象項目名】００６９
【補正方法】変更
【補正の内容】
【００６９】
請求項１６記載の情報出力方法は、請求項６乃至１５のいずれか１項に記載の情報出力方法において、複数の前記カタログを一括に登録する一括登録ステップを有することを特徴とする。
請求項１７記載のプログラムは、請求項２乃至１６のいずれか１項に記載の情報出力方法をコンピュータに実行させることを特徴とする。
請求項１８記載の記憶媒体は、請求項１７に記載のプログラムをコンピュータ可読の形態で記憶したことを特徴とする。
【手続補正６７】
【補正対象書類名】明細書
【補正対象項目名】００７２
【補正方法】変更
【補正の内容】
【００７２】
以下、本発明の実施の形態を図面を参照しながら説明する。